(57)【要約】【課題】接続すべき外部通信装置を認識し、かつ、キーボードなどの大掛かりな入力手段を使わずにネットワークＩＤの設定を行うことを可能にする。【解決手段】無線通信装置は、所望の外部通信装置よりネットワークＩＤが報知されないようにする操作をユーザに促すための表示を行なう（Ｓ４０１）。そして、ユーザによる確認ボタンの操作に応じて通信範囲内の外部通信装置から報知されるネットワークＩＤのリストが作成される（Ｓ４０２、Ｓ４０３）。リストの作成後に、所望の外部通信装置よりのネットワークＩＤの報知を開始させる操作をユーザに促すための表示を行なう（Ｓ４０４）。そして、Ｓ４０３で作成したリストに存在しないネットワークＩＤを検知した場合に、これを当該ネットワークＩＤに対応する外部通信装置を接続先として設定する（Ｓ４０５−Ｓ４０７）。このような処理により無線ＬＡＮステーションを容易にネットワークに接続することが可能となる。【選択図】  図４
2004328287.tif 000002
【特許請求の範囲】
【請求項１】
所定のユーザ操作に応じて外部通信装置が報知するネットワークＩＤのリストを作成する作成工程と、
前記リストの作成後、該リストに存在しないネットワークＩＤを検知した場合に、当該ネットワークＩＤに対応する外部通信装置を接続先として設定する設定工程とを備えることを特徴とする無線通信方法。
【請求項２】
前記作成工程に先立って、所望の外部通信装置よりネットワークＩＤが報知されないようにする操作をユーザに促すための表示を行なう第１表示工程を更に備えることを特徴とする請求項１に記載の無線通信方法。
【請求項３】
前記作成工程によるリストの作成後に、所望の外部通信装置よりのネットワークＩＤの報知を開始させる操作をユーザに促すための表示を行なう第２表示工程を更に備えることを特徴とする請求項１又は２に記載の無線通信方法。
【請求項４】
前記設定工程は、
検知したネットワークＩＤを表示する第３表示工程と、
検知したネットワークＩＤが複数ある場合には、それら複数のネットワークＩＤより所望の一つを選択させる選択工程とを備え、
選択されたネットワークＩＤに対応する外部通信装置を接続先として設定することを特徴とする請求項１に記載の無線通信方法。
【請求項５】
外部通信装置が報知するネットワークＩＤのリストを作成する作成工程と、
所定のユーザ操作に応じて、前記作成工程で作成されたリストより報知されなくなったネットワークＩＤを識別する識別工程と、
前記識別工程によって識別されたネットワークＩＤを再度検知した場合に、当該ネットワークＩＤに対応する外部通信装置を接続先として設定する設定工程とを備えることを特徴とする無線通信方法。
【請求項６】
前記識別工程に先立って、所望の外部通信装置よりネットワークＩＤが報知されないようにする操作をユーザに促すための表示を行なう第１表示工程を更に備えることを特徴とする請求項５に記載の通信方法。
【請求項７】
前記識別工程による識別の後に、所望の外部通信装置よりのネットワークＩＤの報知を開始させる操作をユーザに促すための表示を行なう第２表示工程を更に備えることを特徴とする請求項５又は６に記載の通信方法。
【請求項８】
前記設定工程は、
検知したネットワークＩＤを表示する第３表示工程と、
検知したネットワークＩＤが複数ある場合には、それら複数のネットワークＩＤより所望の一つを選択させる選択工程とを備え、
選択されたネットワークＩＤに対応する外部通信装置を接続先として設定することを特徴とする請求項５に記載の無線通信方法。
【請求項９】
所定のユーザ操作に応じて外部通信装置が報知するネットワークＩＤのリストを作成する作成手段と、
前記リストの作成後、該リストに存在しないネットワークＩＤを検知した場合に、当該ネットワークＩＤに対応する外部通信装置を接続先として設定する設定手段とを備えることを特徴とする無線通信装置。
【請求項１０】
外部通信装置が報知するネットワークＩＤのリストを作成する作成手段と、
所定のユーザ操作に応じて、前記作成手段で作成されたリストより報知されなくなったネットワークＩＤを識別する識別手段と、
前記識別手段によって識別されたネットワークＩＤを再度検知した場合に、当該ネットワークＩＤに対応する外部通信装置を接続先として設定する設定手段とを備えることを特徴とする無線通信装置。
【請求項１１】
請求項１乃至８のいずれかに記載の無線通信方法をコンピュータによって実行させるための制御プログラム。
【請求項１２】
請求項１乃至８のいずれかに記載の無線通信方法をコンピュータによって実行させるための制御プログラムを格納した記憶媒体。
【発明の詳細な説明】
【０００１】
【発明の属する技術分野】
本発明は無線通信技術に関し、特に、無線通信装置におけるネットワークＩＤの設定技術に関する。
【０００２】
【従来の技術】
複数台のコンピュータからなるシステムにおいて、情報共有やプリンタ等の情報処理機器を有効活用するためにＬＡＮを構築することが一般的になっている。とりわけ近年は無線ＬＡＮが利用されるようになってきている。無線ＬＡＮにおいてはＬＡＮケーブルの敷設が不要であることや、ノート型ＰＣなどの可搬型情報処理機器の利便性を鑑みると、無線ＬＡＮの利用は今後さらに拡大するものと考えられる。
【０００３】
無線ＬＡＮを構築するには、各装置に、所定の設定を施す必要がある。一例として、ＩＥＥＥ８０２．１１準拠の無線ＬＡＮにおいて、インフラストラクチャモードで通信を行う場合を考える。ＩＥＥＥ８０２．１１準拠の無線ＬＡＮにおいては、ＥＳＳ−ＩＤ（Ｅｘｔｅｎｄｅｄ  Ｓｅｒｖｉｃｅ  Ｓｅｔ  ＩＤ）とよばれるネットワークＩＤに基づいて通信グループを設定する。無線ＬＡＮステーションは、アクセスポイントと同じＥＳＳ−ＩＤを設定することで、通信ができるようになっている。
【０００４】
無線ＬＡＮステーションは一般にはコンピュータであるため、上記の設定は自コンピュータのキーボード操作で行うことができる。また、Ｍｉｃｒｏｓｏｆｔ社のＷｉｎｄｏｗｓＸＰ（登録商標）においては、無線ＬＡＮの設定画面において、通信可能なアクセスポイントのＥＳＳ−ＩＤ一覧が表示される。利用者は、このＥＳＳ−ＩＤ一覧の中から所望のＩＤを選択することで、当該アクセスポイントとの通信が可能になる。
【０００５】
【発明が解決しようとする課題】
しかしながら、上記の表示されたＥＳＳ−ＩＤの一覧において複数のＩＤが表示されている場合、利用者は、このようなＥＳＳ−ＩＤの一覧表示だけではどれが接続相手かを知ることはできない。すなわち、利用者は別の手段で接続すべきアクセスポイントのＥＳＳ−ＩＤを知る必要がある。
【０００６】
またディジタルカメラやプリンタ等のＰＣ周辺機器には、一般にキーボード等の大掛かりな入力手段は備わっていない。これらの周辺機器をステーションにする場合はＥＳＳ−ＩＤの設定が困難であった。この対策として、キーボードなどの大掛かりな入力手段を追加する必要があり、コストが余分にかかることになる。
【０００７】
本発明は上述の課題に鑑みてなされたものであり、その目的とするところは、無線通信装置において、接続すべき外部通信装置を認識し、かつ、キーボードなどの大掛かりな入力手段を使わずにネットワークＩＤ設定を行えるようにすることである。これにより、例えば無線ＬＡＮステーションのネットワークへの接続を容易にする。
【０００８】
【課題を解決するための手段】
上記の目的を達成するための本発明による無線通信方法は、
所定のユーザ操作に応じて外部通信装置が報知するネットワークＩＤのリストを作成する作成工程と、
前記リストの作成後、該リストに存在しないネットワークＩＤを検知した場合に、当該ネットワークＩＤに対応する外部通信装置を接続先として設定する設定工程とを備える。
【０００９】
また、上記の目的を達成するための本発明の他の態様による無線通信方法は、
外部通信装置が報知するネットワークＩＤのリストを作成する作成工程と、
所定のユーザ操作に応じて、前記作成工程で作成されたリストより報知されなくなったネットワークＩＤを識別する識別工程と、
前記識別工程によって識別されたネットワークＩＤを再度検知した場合に、当該ネットワークＩＤに対応する外部通信装置を接続先として設定する設定工程とを備える。
【００１０】
【発明の実施の形態】
以下、添付の図面を参照して本発明の好適な実施形態を説明する。
【００１１】
（第１実施形態）
第１実施形態における無線通信システムは、無線通信装置である無線ＬＡＮステーション（以降ではＳＴＡと表記する）と、外部通信装置としての、通信局である無線ＬＡＮアクセスポイント（以降ではＡＰと表記する）から構成される。また、この無線通信システムは、ＩＥＥＥ８０２．１１に準拠しており、インフラストラクチャモードで通信が行われる。
【００１２】
図１は、ＳＴＡの内部構成を示す図である。データ受信時、無線信号はアンテナ部１０１より取り込まれ、高周波処理部１０２においてベースバンド信号へと変換される。変換されたベースバンド信号は、ベースバンド処理部１０３でディジタルデータに変換される。変換されたディジタル信号は、媒体アクセス制御部１０４において所定のデータフォーマットに変換され、制御部１０５へと送られる。なお、データ送信時は、これとは逆にデータが流れる。
【００１３】
制御部１０５は、媒体アクセス制御部１０４からのデータを、メモリ１０６に保持するか、またはインターフェース１０７を介して、これと接続されている装置またはユニットに送る。ここで、装置又はユニットとしては、デジカメやプリンタを構成するためのユニットが挙げられる。制御部１０５はまた、インターフェース１０７に接続されている装置またはユニットからのデータをメモリ１０６に保持するか、または媒体アクセス制御部１０４に送る。制御部１０５はまた、メモリ１０６に保持されているデータを、媒体アクセス制御部１０４に送るか、またはインターフェース１０７を介して、これと接続されている装置またはユニットに送る。１０８は、ＳＴＡ各部の状態を表したり、データを表示したりする表示部である。１０９は、ＳＴＡの設定を行う為の入力部であり、確認ボタンを含む。
【００１４】
図２は、ＡＰの内部構成である。データ受信時、無線信号はアンテナ部２０１より取り込まれ、高周波処理部２０２においてベースバンド信号へと変換される。変換されたベースバンド信号は、ベースバンド処理部２０３でディジタルデータに変換される。変換されたディジタル信号は、媒体アクセス制御部２０４において、所定のデータフォーマットに変換され、制御部２０５へと送られる。データ送信時は、これとは逆にデータが流れる。
【００１５】
制御部２０５は、媒体アクセス制御部２０４からのデータを、メモリ２０６に保持するか、または有線ＬＡＮ通信部２０７を介して、これと接続されている装置またはユニットに送る。制御部２０５はまた、有線ＬＡＮ通信部２０７に接続されている装置またはユニットからのデータを、メモリ２０６に保持するか、または媒体アクセス制御部２０４に送る。制御部２０５はまた、メモリ２０６に保持されているデータを、媒体アクセス制御部２０４に送るか、または有線ＬＡＮ通信部２０７を介して、これと接続されている装置またはユニットに送る。２０８は、ＡＰ内の各部の状態を表したり、データを表示したりする表示部である。２０９は、ＡＰの設定を行う為の入力部である。
【００１６】
本実施形態では、図３の状況を想定する。図３においてＳＴＡ１は、例えば図１に示すような無線通信ユニットを有したデジカメ或いはプリンタ等であり、本実施形態による無線通信装置である。例えば、ステーションとしてのデジカメより、アクセスポイントに接続されたプリンタ、ディスプレイデバイス、ＨＤＤやＤＶＤドライブに画像を送るような構成が想定される。ＳＴＡ１の通信圏内には、ＡＰ２１と、ＡＰ２２が存在する。ネットワークＩＤに相当するＥＳＳ−ＩＤは、ＡＰ２１においては、“０１”が、ＡＰ２２においては、“０２”が設定されている。各ＡＰからは、このＥＳＳ−ＩＤが送出されている。
【００１７】
２台あるＡＰの内、ＡＰ２１を、ＳＴＡ１の通信相手として初期設定する場合のＳＴＡ１の動作を図４のフローチャート及び図５を用いて説明する。
【００１８】
ＳＴＡ１の電源が投入されると、制御部１０５で、図４に示す無線初期設定プログラムが動作し始める。このプログラムはまず、所望のＡＰよりネットワークＩＤが報知されないようにする操作をユーザに促すための表示を行なう。本実施形態では、ユーザに対して、通信相手とすべきＡＰの電源をＯＦＦにするよう表示部１０８に表示する（図５の５０１参照、ステップＳ４０１）。また、このとき、図５に示すように、確認操作を入力部１０９に対して行うよう表示部１０８に表示する。本実施形態では、確認ボタンの押下がその確認操作となる。
【００１９】
ＳＴＡ１の無線初期設定プログラムは、入力部１０９に対する確認操作が行われるまで、通信したいＡＰの電源をＯＦＦにするよう表示し続ける。確認操作が行われたことを検出するとステップＳ４０３へ移る（ステップＳ４０２）。ステップＳ４０３では、周囲のＡＰを探索し、ＥＳＳ−ＩＤのリストを作成する。本例（図５の例）の場合、ステップＳ４０１の表示に従って、ＡＰ２１の電源をＯＦＦし（４２１）、ＳＴＡ１の確認ボタンを押すと、ステップＳ４０３の処理時に動作しているのは（ビーコン信号を送出しているのは）ＡＰ２２だけなので、ＥＳＳ−ＩＤのリスト（５１１）には“０２”だけが登録されることになる。なお、ＡＰの電源ＯＦＦの仕方としては、ＡＰの電源切断としてもよいし、ＡＰの無線部（図２の１０２〜１０４）の電源切断であってもよい。
【００２０】
ＳＴＡ１の無線初期設定プログラムは、ＥＳＳ−ＩＤのリストを作成したのち（ステップＳ４０３）、所望の外部通信装置よりのネットワークＩＤの報知を開始させる操作をユーザに促すための表示を行なう。本実施形態では、通信相手とすべきＡＰの電源をＯＮにするよう図５の５０２に示す如く表示部１０８に表示する（ステップＳ４０４）。
【００２１】
この状態で、ＡＰ２１の電源がユーザによってＯＮされると、ＡＰ２１から”０１”というＥＳＳ−ＩＤ（ビーコン）が送出される（４２２、４２３）。この結果、ＳＴＡ１では、先ほどから検出していた、“０２”に加えて、“０１”も検出されるようになる。なお、ＡＰへの電源の投入としては、ＡＰ全体に対する電源投入であってもよいし、ＡＰの無線部（図２の１０２〜１０４）への電源投入であってもよい（上記の電源の切断の方法に依存する）。なお、ＡＰからのビーコン送信を停止・再開させるためには、電源をＯＮ・ＯＦＦする以外に、ソフト的にビーコン送信を停止するようにしてもよい。例えば、第２実施形態で後述する自動接続ボタンをＡＰに設けてもよい（自動接続ボタンが押されると所定時間の間ビーコンの送信が停止する）。このようにすれば、ＡＰの電源を落とす必要がなくなり、他の機器への影響を低減できる。
【００２２】
ＳＴＡ１の無線初期設定プログラムは、ステップＳ４０３で作成したＥＳＳ−ＩＤのリスト（図５の５１１）と、検出された各ＥＳＳ−ＩＤとを比較し、リストにないＥＳＳ−ＩＤ、すなわち“０１”を検出し（図５の５１２）、表示部１０８に表示する（図５の５０３）。そして、表示したＥＳＳ−ＩＤに対応するＡＰを、通信相手として決定してよいかの確認操作を入力部１０９に対して行うよう表示する（ステップＳ４０５）。ここでは、表示されるＥＳＳ−ＩＤは１つであるが、リストにないＥＳＳ−ＩＤが複数検出された場合は、それら複数のＥＳＳ−ＩＤを表示させて、それらの中から１つを選択させるようにしてもよい。
【００２３】
ＳＴＡ１の無線初期設定プログラムは、入力部１０９に対して確認操作が行われるまで、図５の５０３の画面を表示し続ける。確認操作が行われたことを検出すると、ステップＳ４０７へ移る（ステップＳ４０６）。ステップＳ４０７では、ＩＥＥＥ８０２．１１の規格に基づいて、ステップＳ４０６で選択もしくは決定したＥＳＳ−ＩＤに対応するＡＰに接続する。
【００２４】
以上のように、第１実施形態によれば、接続相手として希望しないＡＰ（上記の例ではＡＰ２２）が接続候補として表示されなくなる。従って、通信相手として希望するＡＰを容易に判別できるようになる。
【００２５】
（第２実施形態）
上記第１実施形態ではインフラストラクチャモードで動作する無線ＬＡＮについて説明したが、第２実施形態では、ＩＥＥＥ８０２．１１に準拠した無線通信システムにおいて、アドホックモードで動作する場合を説明する。この場合、無線通信システムは、無線通信装置としてのＳＴＡと、これに対して外部通信装置となる通信局としてのＳＴＡから構成される。ＳＴＡの内部構成は、図１により上述したとおりである。
【００２６】
また、説明の便宜上、第２実施形態においては、図６に示す状況を想定する。ＳＴＡ１は第２実施形態による無線通信装置である。ＳＴＡ１の通信圏内には、ＳＴＡ３１とＳＴＡ３２が存在する。ネットワークＩＤに相当するＥＳＳ−ＩＤは、ＳＴＡ３１においては“０１”が、ＳＴＡ３２においては“０２”が設定されている。各ＳＴＡからはこのＥＳＳ−ＩＤが送出されている。例えば、ＳＴＡ１として図１に示す無線通信部を有するデジカメが、ＳＴＡ３１として図１に示す無線通信部を有するプリンタが考えられる。この場合、無線通信を介してデジカメの画像をプリンタに送ることができる。なお画像の送り先のステーションとしては、プリンタに限られず、例えば、ディスプレイデバイス、ＨＤＤやＤＶＤドライブとすることも可能である。
【００２７】
以下、ＳＴＡ３１及びＳＴＡ３２の内のＳＴＡ３１をＳＴＡ１の通信相手として初期設定する場合の動作を図７及び図８を参照して説明する。
【００２８】
ＳＴＡ１の電源が投入されると、制御部１０５で、無線初期設定プログラムが動作し始める。このプログラムはまず、周囲のＳＴＡを探索し、ＥＳＳ−ＩＤのリストを作成する（ステップＳ５０１）。本実施形態では、この時点においてＳＴＡ２１とＳＴＡ２２の両方よりビーコンが送出されており（５２１、５２２）、ＥＳＳ−ＩＤのリストは、図８の８１１に示す通り、“０１”と“０２”とが入る。次に、所望の外部通信装置よりネットワークＩＤが報知されないようにする操作をユーザに促すための表示を行なう。本実施形態では、ユーザに対して、通信相手とすべきＳＴＡの自動接続ボタンを押すよう表示部１０８に表示する（ステップＳ５０２）。また、このとき、確認操作（確認ボタンの押下）を入力部１０９に対して行うよう表示部１０８に表示する（図８の８０１）。
【００２９】
ＳＴＡ１の無線初期設定プログラムは入力部１０９に対する確認操作が行われるまで、通信したいＳＴＡの自動接続ボタンを押すよう表示し続ける。この確認操作（確認ボタンの押下８０２）が行われたことを検出するとステップＳ５０４へ移る（ステップＳ５０３）。
【００３０】
一方、ＳＴＡ３１では、自動接続ボタンが押されると（５２２）、所定時間（例えば３０秒間）だけビーコンの送出を停止する（５２３）。そして３０秒が経過すると再びビーコンの送出を始める（５２４）。
【００３１】
ＳＴＡ１の無線初期設定プログラムは、確認ボタン押下後における周囲のＳＴＡを探索しており、この時点で受信される各ＥＳＳ−ＩＤをステップＳ５０１で作成したＥＳＳ−ＩＤリストの内容と比較して、報知停止ＥＳＳ−ＩＤリストを作成する（ステップＳ５０４）。具体的には、例えば、ステップＳ５０１で作成されたＥＳＳ−ＩＤリストを報知停止ＥＳＳ−ＩＤリストにコピーし、次に、現在受信できる各ＥＳＳ−ＩＤが報知停止ＥＳＳ−ＩＤリスト中にあればこのリストから当該ＥＳＳ−ＩＤを削除する。この処理の繰り返しにより、報知停止したＥＳＳ−ＩＤだけが報知停止ＥＳＳ−ＩＤリストに残る。本例では、５２３でビーコン停止となっているＳＴＡ２１のＥＳＳ−ＩＤが受信されないので、図８の８１２に示すように報知停止ＥＳＳ−ＩＤリストには“０１”のみが残る。
【００３２】
次に、ＳＴＡ１の無線初期設定プログラムは、ステップＳ５０４で作成した、報知停止ＥＳＳ−ＩＤリスト中にある、ＥＳＳ−ＩＤ（本例では“０１”）を検出するとステップＳ５０６に移る（ステップＳ５０５）。本例では、通信相手であるＳＴＡ３１（自動接続ボタンが押下されたＳＴＡ）がビーコン停止から３０秒後に再び“０１”というＥＳＳ−ＩＤを送出し始める。この結果、ＳＴＡ１では、先ほどから検出していた、“０２”に加えて、“０１”も検出されるようになる。すなわち、報知停止ＥＳＳ−ＩＤリスト中にあるＥＳＳ−ＩＤが検出され、処理はステップＳ５０６へ進む。ステップＳ５０６では、ＩＥＥＥ８０２．１１の規格に基づいて、ステップＳ５０５で該当したＥＳＳ−ＩＤに対応するＳＴＡ、すなわちＳＴＡ３１に接続する。
【００３３】
以上のようにすることで、ＳＴＡ１では、ＥＳＳ−ＩＤの入力操作を行わずに、所望のＳＴＡ３１に接続できる。
【００３４】
なお、上記実施形態では、ネットワークＩＤの設定と通信接続確立のための主要な構成について説明した。従って、実際には、上述した構成に種々の構成を付加することができる。例えば、ステップＳ４０２、Ｓ４０６、５０３、Ｓ５０６の各条件分岐において、タイマー処理を行うことにより、所定時間以上ループが繰り返される場合は、最初または途中からやり直すという処理が加わってもよい。また、各リストの中身がなかったり、予定外の値であったりする場合は、最初または途中からやり直すという処理が加わってもよい。
【００３５】
更に、上記実施形態では、ＥＳＳ−ＩＤをネットワークＩＤとして、ネットワークに接続していたが、これはＥＳＳ−ＩＤに限定されるものではない。例えば、ＩＥＥＥ８０２．１１における、ＭＡＣアドレスをネットワークＩＤとして、ネットワークに接続しても構わない。
また、第１実施形態におけるＡＰにＳＴＡを適用してもよいし、第２実施形態におけるＳＴＡにＡＰを適用してもよい。また、第２実施形態では自動接続ボタンを用いて所定時間ビーコン送信を停止するが、第１実施形態のように電源のＯＮ・ＯＦＦを行なう構成を用いてもよい。
【００３６】
以上説明したように、上記各実施形態によれば、複数のプリンタが存在していても、カメラやＰＣのユーザインターフェースを操作することなく、接続先の装置（ＡＰ，ＳＴＡ）における電源のオン・オフ操作や所定の操作ボタン（実施形態の自動接続ボタン）の単純な操作により出力先を選択することができる。
【００３７】
なお、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００３８】
この場合、記憶媒体から読出されたプログラムコード自体が前述した実施形態の機能を実現することになり、そのプログラムコードを記憶した記憶媒体は本発明を構成することになる。
【００３９】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００４０】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００４１】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００４２】
【発明の効果】
以上説明したように、本発明によれば、無線通信装置において、接続すべき通信局を認識し、かつ、キーボードなどの大掛かりな入力手段を使わずにネットワークＩＤ設定を行うことが可能となる。このため、例えば、無線ＬＡＮステーションを容易にネットワークに接続することが可能となる。
【図面の簡単な説明】
【図１】無線ＬＡＮステーション（ＳＴＡ）の内部構成を示すブロック図である。
【図２】無線ＬＡＮアクセスポイント（ＡＰ）の内部構成を示すブロック図である。
【図３】第１実施形態で想定する無線ＬＡＮ環境を示す図である。
【図４】第１実施形態における無線初期設定を説明するフローチャートである。
【図５】第１実施形態による表示部の表示内容とＥＳＳ−ＩＤリストの内容を説明する図である。
【図６】第２実施形態で想定する無線ＬＡＮ環境を示す図である。
【図７】第２実施形態における無線初期設定を説明するフローチャートである。
【図８】第２実施形態による表示部の表示内容とＥＳＳ−ＩＤリストの内容を説明する図である。
【図１】
2004328287.tif 000003
【図２】
2004328287.tif 000004
【図３】
2004328287.tif 000005
【図４】
2004328287.tif 000006
【図５】
2004328287.tif 000007
【図６】
2004328287.tif 000008
【図７】
2004328287.tif 000009
【図８】
2004328287.tif 000010